(57)【特許請求の範囲】
【請求項１】
文書編集処理装置と、画像処理装置とを含み、
前記画像処理装置は、
構造化文書情報を表示形式情報で変換して得られる成果物情報を印刷出力する印刷出力手段と、
前記印刷出力手段により印刷出力された前記成果物情報と、前記印刷出力された成果物情報に添付された、前記表示形式情報の編集を要求する用紙を光学走査して、前記成果物情報の画像及び編集内容を示す画像を受け付ける受付手段と、
前記受付手段により受け付けた前記成果物情報の画像及び前記編集内容を示す画像を前記文書編集処理装置に送信する送信手段とを有し、
前記文書編集処理装置は、
前記画像処理装置から、前記成果物情報の画像及び前記編集内容を示す画像を受信する受信手段と、
前記受信手段が受信した前記成果物情報の画像から前記表示形式情報の格納先を、前記受信手段が受信した前記編集内容を示す画像から編集要求を読み出し、さらに、表示形式情報を前記格納先から読み出す読出手段と、
前記読出手段が読み出した前記表示形式情報のうち、前記編集要求の前記編集箇所に該当する内容に前記編集要求の前記編集内容を適用する適用手段とを有し、
印刷出力された前記成果物情報には、前記表示形式情報の格納先が含まれていることを特徴とする文書編集処理システム。
【発明の詳細な説明】
【技術分野】
【０００１】
本発明は、文書編集処理装置及び文書編集処理プログラムに関する。
【背景技術】
【０００２】
構造化文書の表示形式を定義する表示形式情報の文法を直接指定しなくとも、表示形式情報の作成を支援する技術が提案されている。
【０００３】
これに関連する技術として、特許文献１には、構造化文書の表示形式を定義する情報をフォーム記述言語で記述したフォーム記述を部品化し、部品化されたフォーム記述部品を表示部に提示し、提示したフォーム記述部品から利用者が選択したフォーム記述部品を組み合わせてフォーム記述を作成し、作成されたフォーム記述を構造化文書に対する表示形式情報の記述形式に変換して表示形式情報を作成する表示形式情報作成装置が開示されている。
【先行技術文献】
【特許文献】
【０００４】
【特許文献１】特開２００３−３０３１８３号公報
【発明の概要】
【発明が解決しようとする課題】
【０００５】
本発明の目的は、構造化文書を表示形式情報で変換することで得られる成果物を用いて編集要求を受け付け、構造化文書の表示形式情報を編集する文書編集処理システムを提供することにある。
【課題を解決するための手段】
【０００６】
［１］文書編集処理装置と、画像処理装置とを含み、
前記画像処理装置は、
構造化文書情報を表示形式情報で変換して得られる成果物情報を印刷出力する印刷出力手段と、
前記印刷出力手段により印刷出力された前記成果物情報と、前記印刷出力された成果物情報に添付された、前記表示形式情報の編集を要求する用紙を光学走査して、前記成果物情報の画像及び編集内容を示す画像を受け付ける受付手段と、
前記受付手段により受け付けた前記成果物情報の画像及び前記編集内容を示す画像を前記文書編集処理装置に送信する送信手段とを有し、
前記文書編集処理装置は、
前記画像処理装置から、前記成果物情報の画像及び前記編集内容を示す画像を受信する受信手段と、
前記受信手段が受信した前記成果物情報の画像から前記表示形式情報の格納先を、前記受信手段が受信した前記編集内容を示す画像から編集要求を読み出し、さらに、表示形式情報を前記格納先から読み出す読出手段と、
前記読出手段が読み出した前記表示形式情報のうち、前記編集要求の前記編集箇所に該当する内容に前記編集要求の前記編集内容を適用する適用手段とを有し、
印刷出力された前記成果物情報には、前記表示形式情報の格納先が含まれていることを特徴とする文書編集処理システム。
【発明の効果】
【００１０】
請求項１に係る発明によれば、構造化文書を表示形式情報で変換することで得られる成果物を用いて編集要求を受け付け、構造化文書の表示形式情報を編集することができ、特に、成果物情報の内容を印刷した印刷物を用いて編集要求を受け付け、構造化文書の表示形式情報を編集することができる。
【図面の簡単な説明】
【００１３】
【図１】図１は、第１の実施の形態に係る文書編集処理システムの構成例を示す概略図である。
【図２】図２は、文書編集処理装置の構成例を示すブロック図である。
【図３】図３は、編集要求対照情報の一例を示す概略図である。
【図４】図４（ａ）及び（ｂ）は、成果物生成装置の動作例を示す概略図である。
【図５】図５（ａ）及び（ｂ）は、印刷物の内容を示す概略図である。
【図６】図６は、編集要求用紙の内容を示す概略図である。
【図７】図７は、編集命令情報の一例を示す概略図である。
【図８】図８（ａ）及び（ｂ）は、スタイルシート情報の内容の一例を示す概略図であり、図８（ａ）は編集命令情報の適用前、図８（ｂ）は編集命令情報の適用後の内容を示す。
【図９】図９（ａ）及び（ｂ）は、編集後のＰＤＦ文書情報の内容を示す概略図である。
【図１０】図１０は、文書編集処理装置の動作の一例を示すフローチャートである。
【図１１】図１１は、編集要求用紙の内容の変形例を示す概略図である。
【図１２】図１２は、編集命令情報の一例を示す概略図である。
【図１３】図１３は、スタイルシート情報の内容の一例を示す概略図であり、編集命令情報の適用後の内容を示す。
【図１４】図１４は、編集後のＰＤＦ文書情報の内容を示す概略図である。
【図１５】図１５は、第２の実施の形態に係る編集要求用紙画像の内容の一例を示す概略図である。
【発明を実施するための形態】
【００１４】
［第１の実施の形態］
（文書編集処理システムの構成）
図１は、第１の実施の形態に係る文書編集処理システムの構成例を示す概略図である。
【００１５】
この文書編集処理システム９は、文書編集処理装置１と、文書データベース（ＤＢ）２と、成果物ＤＢ３と、成果物生成装置４と、端末５と、複合機６とをネットワーク７によって互いに通信可能に接続することで構成される。
【００１６】
文書編集処理装置１は、情報を処理するための機能を備えたＣＰＵ（Ｃｅｎｔｒａｌ  Ｐｒｏｃｅｓｓｉｎｇ  Ｕｎｉｔ）や記憶部等の電子部品を備え、利用者８Ｂの端末５又は複合機６に対する操作に応じて端末５又は複合機６から送信される編集要求を受け付けて文書ＤＢ２に格納される後述するスタイルシート情報２１を編集する情報処理装置である。
【００１７】
文書ＤＢ２は、構造化文書の一例としてＸＭＬで記述されたＸＭＬ文書情報２０、ＸＭＬ文書情報２０の表示形式情報であるスタイルシート情報２１等を格納する。なお、ＸＭＬ文書情報２０及びスタイルシート情報２１は、管理者８Ａの操作に基づいて端末５で生成されたものである。
【００１８】
成果物ＤＢ３は、成果物生成装置４が文書ＤＢ２に格納される構造化文書であるＸＭＬ文書情報２０を表示形式を定義するスタイルシート情報２１で変換して得られる成果物、例えば、ＨＴＭＬ文書情報３０、ＰＤＦ文書情報３１等を格納する。
【００１９】
成果物生成装置４は、文書ＤＢ２のＸＭＬ文書情報２０及びスタイルシート情報２１を取得し、ＸＭＬ文書情報２０をスタイルシート情報２１に基づいて表示形式を変換することで成果物としてＨＴＭＬ文書情報３０及びＰＤＦ文書情報３１等を生成し、成果物ＤＢ３に格納する。
【００２０】
端末５は、画像を表示する液晶ディスプレイ等の表示部５０と、操作に応じた操作信号を発するキーボード、マウス、タッチパッド等の操作部５１とを備える。なお、端末５は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。
【００２１】
複合機６は、印刷物等を光学走査して画像情報を出力する光学走査部と、外部から受け付けた印刷要求を印刷処理して印刷物を出力する印刷部と、画像を表示する液晶ディスプレイ等の表示部と、操作に応じた操作信号を発するテンキー及びタッチパッド等の操作部とを備える。
【００２２】
ネットワーク７は、ＬＡＮ（Ｌｏｃａｌ  Ａｒｅａ  Ｎｅｔｗｏｒｋ）、インターネット等の通信網であり、有線、無線は問わない。
【００２３】
（文書編集処理装置の構成）
図２は、文書編集処理装置１の構成例を示すブロック図である。
【００２４】
文書編集処理装置１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体であって情報を記憶する記憶部１１と、ネットワーク７を介して外部と通信する通信部１２とを備える。
【００２５】
制御部１０は、後述する文書編集処理プログラム１１０を実行することで、編集要求受付手段１００、スタイルシート情報読出手段１０１、編集命令適用手段１０２及びスタイルシート情報書込手段１０３等として機能する。
【００２６】
編集要求受付手段１００は、端末５又複合機６から通信部１２を介して編集要求を受け付ける。ここで、編集要求とは、スタイルシート情報２１の記述形式で記述された編集命令に対応する、スタイルシート情報２１の記述形式と異なる記述形式で記述された要求である。本実施の形態では、編集要求は、端末５又は複合機６から画像情報を受け付けて、その画像情報中に含まれるコード画像情報を復号することで受け付けられる。
【００２７】
スタイルシート情報読出手段１０１は、編集要求受付手段１００が受け付けた編集要求に基づいて編集対象となるスタイルシート情報２１を文書ＤＢ２から読み出す。
【００２８】
編集命令適用手段１０２は、編集要求対照情報１１１に基づき編集要求受付手段１００が受け付けた編集要求に対応する編集命令情報１１２を判別し、スタイルシート情報読出手段１０１が読み出したスタイルシート情報２１に対し編集命令情報１１２を適用する。
【００２９】
スタイルシート情報書込手段１０３は、編集命令適用手段１０２が編集命令情報１１２を適用した編集済みのスタイルシート情報２１を文書ＤＢ２に書き込む。
【００３０】
記憶部１１は、制御部１０を上述した各手段１００〜１０３として動作させる文書編集処理プログラム１１０、編集要求と編集命令とを対応付ける編集要求対照情報１１１及びスタイルシート情報２１を編集する雛形としての編集命令情報１１２等を記憶する。
【００３１】
図３は、編集要求対照情報１１１の一例を示す概略図である。
【００３２】
編集要求対照情報１１１は、編集要求の識別子を示す編集要求ＩＤ欄と、編集要求に対応付けられた編集命令情報の識別子を示す編集命令ＩＤ欄と、編集命令情報の編集内容を示す編集内容欄とを有する。
【００３３】
（第１の実施の形態の文書編集処理装置の動作）
以下に、文書編集処理装置１の動作例を図１〜図１０を参照しつつ、（１）基本動作、（２）編集要求受付動作、（３）編集命令適用動作に分けて説明する。
【００３４】
（１）基本動作
まず、管理者８Ａは、端末５においてＸＭＬ文書情報２０及びスタイルシート情報２１を作成するため、操作部５１を操作する。端末５は、操作部５１に対する操作内容に応じてＸＭＬ文書情報２０及びスタイルシート情報２１を作成し、作成したＸＭＬ文書情報２０及びスタイルシート情報２１を文書ＤＢ２に格納する。
【００３５】
次に、管理者８Ａは、作成したＸＭＬ文書情報２０及びスタイルシート情報２１の内容を利用者８Ｂに確認させるために、端末５を介して対象となるＸＭＬ文書情報２０及びスタイルシート情報２１を指定して成果物の生成を成果物生成装置４に要求する。
【００３６】
成果物生成装置４は、端末５から要求を受け付けると、まず、文書ＤＢ２から指定されたＸＭＬ文書情報２０及びスタイルシート情報２１を読み出す。
【００３７】
図４（ａ）及び（ｂ）は、成果物生成装置４の動作例を示す概略図である。
【００３８】
成果物生成装置４は、成果物としてＨＴＭＬ文書情報の生成を要求されると、図４（ａ）に示すように、文書ＤＢ２から読み出されたＸＭＬ文書情報２００をスタイルシート情報２１０で変換することでＨＴＭＬ文書情報３００を生成する。
【００３９】
また、成果物生成装置４は、成果物としてＰＤＦ文書情報の生成を要求されると、図４（ｂ）に示すように、文書ＤＢ２から読み出されたＸＭＬ文書情報２０１をスタイルシート情報２１１で変換することでＰＤＦ文書情報３１０を生成する。
【００４０】
次に、利用者８Ｂは、例えば、ＰＤＦ文書情報３１０を確認するために、ＰＤＦ文書情報３１０の印刷を要求するべく、複合機６の操作部を操作する。
【００４１】
複合機６は、操作部に対する操作に応じてＰＤＦ文書情報３１０を成果物ＤＢ３から読み出し、用紙にＰＤＦ文書情報３１０の内容を印刷して次に示す印刷物６００ａ及び６００ｂを出力する。
【００４２】
図５（ａ）及び（ｂ）は、それぞれ印刷物６００ａ及び６００ｂの内容を示す概略図である。
【００４３】
印刷物６００ａは、図５（ａ）に示すように、ＰＤＦ文書情報３１０の「ページ１」の内容に加え、印刷元のＰＤＦ文書情報３１０の格納先やページ数等の情報を示すＱＲコード６０１ａを有する。
【００４４】
印刷物６００ｂは、図５（ｂ）に示すように、ＰＤＦ文書情報３１０の「ページ２」の内容と、ＱＲコード６０１ｂを有する。
【００４５】
（２）編集要求受付動作
次に、利用者８Ｂは、複合機６から出力された印刷物６００ａ及び６００ｂの内容を確認し、編集を要求する場合、次に示す編集要求用紙を用いて編集を要求する。
【００４６】
図６は、編集要求用紙の内容を示す概略図である。
【００４７】
編集要求用紙７００ａは、例えば、改ページを要求するための用紙であり、図３に示す編集要求対照情報１１１の編集要求ＩＤ欄の情報に該当する内容を符号化したＱＲコード７０１ａを有する。例えば、編集要求用紙７００ａのＱＲコード７０１ａの編集要求は、印刷物６００ａにおいて、上辺７０２ａで示した文章の後ろを改ページするよう要求するものである。
【００４８】
利用者８Ｂは、上述した編集要求用紙７００ａを図６に示すように印刷物６００ａに重ねて添付し、光学走査部で紙面を光学走査するよう複合機６の操作部を操作する。
【００４９】
複合機６の光学操作部は、印刷物６００ａ及び編集要求用紙７００ａを光学走査し、画像情報を出力する。複合機６は、出力された画像情報をネットワーク７を介して文書編集処理装置１に送信する。
【００５０】
図１０は、文書編集処理装置１の動作の一例を示すフローチャートである。
【００５１】
文書編集処理装置１の編集要求受付手段１００は、複合機６から印刷物６００ａ及び編集要求用紙７００ａを光学走査した画像情報を受信すると、その画像情報からＱＲコード６０１ａ及び７０１ａに該当する画像を抽出し、抽出した画像を復号して、復号した情報を編集要求として受け付ける（Ｓ１）。ここで、編集要求には、ＱＲコード６０１ａから、編集対象がＰＤＦ文書情報３１０の１ページ目である旨の情報と、ＱＲコード７０１ａから、編集内容は「改ページ」（編集要求ＩＤ「ｄ００１」）であり、「どのように対処すべきかが書かれている。」の直後で改ページする旨の情報とが含まれる。
【００５２】
次に、スタイルシート情報読出手段１０１は、編集要求に含まれる「編集対象がＰＤＦ文書情報３１０の１ページ目である」旨の情報から、ＰＤＦ文書情報３１０のスタイルシート情報２１１を文書ＤＢ２から読み出す（Ｓ２）。ＰＤＦ文書情報３１０のスタイルシート情報２１１の格納先は成果物生成装置４に問い合わせてもよいし、ＱＲコード６０１ａに直接スタイルシート情報２１１の格納先を含めてもよい。
【００５３】
（３）編集命令適用動作
次に、編集命令適用手段１０２は、編集要求に含まれる「編集内容は『改ページ』（編集要求ＩＤ『ｄ００１』）であり、『どのように対処すべきかが書かれている。』の直後で改ページする」旨の情報から、編集要求対照情報１１１を参照し、編集要求ＩＤ欄が「ｄ００１」に該当する編集命令ＩＤ欄の値「ｃ００１」を得る。次に、編集命令適用手段１０２は、編集命令ＩＤが「ｃ００１」である編集命令情報１１２を取得し、取得した編集命令情報に「『どのように対処すべきかが書かれている。』の直後で改ページする」旨を適用する。
【００５４】
図７は、編集命令情報１１２の一例を示す概略図である。
【００５５】
編集命令情報１１２ａは、編集命令情報１１２に「『どのように対処すべきかが書かれている。』の直後で改ページする」旨を適用した結果であり、＜Ｐｏｓｔｉｏｎ＞＜／Ｐｏｓｔｉｏｎ＞に『どのように対処すべきかが書かれている。』が指定され、＜ＳｔｙｌｅＣｈａｎｇｅＰａｒａｍ＞＜／ＳｔｙｌｅＣｈａｎｇｅＰａｒａｍ＞に「改ページする」旨を示す＜Ｓｔｙｌｅ＞ｎｅｗＰａｇｅ＜／Ｓｔｙｌｅ＞と、「指定された文字列の最後尾」に＜Ｓｔｙｌｅ＞を適用する旨を示す＜Ａｐｐｌｙ＞ｌｅｆｔ＜／Ａｐｐｌｙ＞が指定される。
【００５６】
次に、編集命令適用手段１０２は、上述した編集命令情報１１２ａをスタイルシート情報２１１に適用する（Ｓ３）。
【００５７】
図８（ａ）及び（ｂ）は、スタイルシート情報の内容の一例を示す概略図であり、図８（ａ）は編集命令情報の適用前、図８（ｂ）は編集命令情報の適用後の内容を示す。
【００５８】
図８（ｂ）に示すスタイルシート情報２１２は、図８（ａ）に示すスタイルシート情報２１１に「どのように対処すべきかが書かれている。」の後に改ページを挿入するスタイル情報を挿入した結果である。
【００５９】
次に、スタイルシート情報書込手段１０３は、上述したスタイルシート情報２１２を文書ＤＢ２に書き込む（Ｓ４）。
【００６０】
次に、成果物生成装置４は、文書ＤＢ２においてスタイルシート情報が更新されると、自動で又は管理者８Ａの指示を待って、文書ＤＢ２からＸＭＬ文書情報２０１及びスタイルシート情報２１２を読み出し、ＸＭＬ文書情報２０１にスタイルシート情報２１２を適用することで、成果物として新たなＰＤＦ文書情報３１１ａ及び３１１ｂを生成する。
【００６１】
図９（ａ）及び（ｂ）は、編集後のＰＤＦ文書情報の内容を示す概略図である。
【００６２】
図９（ａ）に示すページ１のＰＤＦ文書情報３１１ａは、図５に示す印刷物６００ａの内容から「どのように対処すべきかが書かれている。」の後に記載された「図１．技を磨いてクラス最高峰へ」が、図９（ｂ）に示すページ２へ改ページされた内容に変更されている。
【００６３】
次に、利用者８Ｂは、再び新たなＰＤＦ文書情報３１１ａを印刷して印刷物を確認する。
【００６４】
［変形例］
図１１は、編集要求用紙の内容の変形例を示す概略図である。
【００６５】
編集要求用紙７００ｂは、改行を要求するための用紙であり、図３に示す編集要求対照情報１１１の編集要求ＩＤ欄の情報に該当する内容を含むＱＲコード７０１ｂを有する。編集要求用紙７００ｂのＱＲコード７０１ｂの編集要求は、印刷物６００ａ上の文章において、指定領域７０３ｂで示した文章の後ろで改行するよう要求するものである。
【００６６】
なお、指定領域７０３ｂは、矩形をペン等で書き込むことで形成してもよいし、領域をマーカー等で塗りつぶすことで形成してもよい。
【００６７】
また、編集要求用紙７００ｃは、指定領域７０３ｃで示した印刷物６００ａの文字列の文字色を青色に指定するための用紙であり、ＱＲコード７０１ｃを有する。
【００６８】
また、編集要求用紙７００ｄは、指定領域７０３ｄで示した印刷物６００ａの文字列の後ろで改ページを指定するための用紙であり、ＱＲコード７０１ｄを有する。
【００６９】
印刷物６００ａ及び編集要求用紙７００ｂ〜７００ｄは、複合機６によって光学走査される。複合機６は光学走査に応じて画像情報を出力し、編集要求受付手段１００は複合機６から光学走査した画像情報を受信すると、その画像情報から指定領域７０３ｂ〜７０３ｄ及び編集要求用紙７００ｂ〜７００ｄを抽出し、抽出した画像を復号して、復号した情報を編集要求として受け付ける（Ｓ１）。なお、ステップＳ２〜Ｓ４は第１の実施の形態と同様に実行される。
【００７０】
図１２は、編集命令情報の一例を示す概略図である。
【００７１】
編集命令情報１１２ｂは、上述した編集要求用紙７００ｂ〜７００ｄに対応する編集要求を適用した結果である。
【００７２】
編集要求用紙７００ｂに対応して、＜Ｐｏｓｔｉｏｎ＞＜／Ｐｏｓｔｉｏｎ＞に『全体に一貫性のある行動をとらせるもの』が指定され、＜ＳｔｙｌｅＣｈａｎｇｅＰａｒａｍ＞＜／ＳｔｙｌｅＣｈａｎｇｅＰａｒａｍ＞に「改行する」旨を示す＜Ｓｔｙｌｅ＞ＣｒＬｆ＜／Ｓｔｙｌｅ＞と、「指定された文字列の直前」に＜Ｓｔｙｌｅ＞を適用する旨を示す＜Ａｐｐｌｙ＞Ｒｉｇｈｔ＜／Ａｐｐｌｙ＞が指定される。
【００７３】
また、編集要求用紙７００ｃに対応して、＜Ｐｏｓｔｉｏｎ＞＜／Ｐｏｓｔｉｏｎ＞に『書籍のジャンル』が指定され、＜ＳｔｙｌｅＣｈａｎｇｅＰａｒａｍ＞＜／ＳｔｙｌｅＣｈａｎｇｅＰａｒａｍ＞に「文字色を青に指定する」旨を示す＜Ｓｔｙｌｅ＞Ｂｌｕｅ＜／Ｓｔｙｌｅ＞と、「指定された文字列の全体」に＜Ｓｔｙｌｅ＞を適用する旨を示す＜Ａｐｐｌｙ＞Ａｌｌ＜／Ａｐｐｌｙ＞が指定される。
【００７４】
また、編集要求用紙７００ｄに対応して、＜Ｐｏｓｔｉｏｎ＞＜／Ｐｏｓｔｉｏｎ＞に『図１．技を磨いてクラス最高峰へ』が指定され、＜ＳｔｙｌｅＣｈａｎｇｅＰａｒａｍ＞＜／ＳｔｙｌｅＣｈａｎｇｅＰａｒａｍ＞に「改行ページする」旨を示す＜Ｓｔｙｌｅ＞ｎｅｗＰａｇｅ＜／Ｓｔｙｌｅ＞と、「指定された文字列の最後尾」に＜Ｓｔｙｌｅ＞を適用する旨を示す＜Ａｐｐｌｙ＞Ｌｅｆｔ＜／Ａｐｐｌｙ＞が指定される。
【００７５】
図１３は、スタイルシート情報の内容の一例を示す概略図であり、編集命令情報の適用後の内容を示す。
【００７６】
図１３に示すスタイルシート情報２１３は、図８（ａ）に示すスタイルシート情報２１１に「全体に一貫性のある行動をとらせるもの」の直前に改行を挿入するスタイル情報、「書籍のジャンル」の全ての文字色を青色に変更するスタイル情報及び「図１．技を磨いて」の直前に改ページを挿入するスタイル情報を挿入した結果である。
【００７７】
図１４は、編集後のＰＤＦ文書情報の内容を示す概略図である。
【００７８】
図１４に示すページ１のＰＤＦ文書情報３１２ａは、「全体に一貫性のある行動をとらせるもの」の直前に改行が挿入され、「書籍のジャンル」の全ての文字色が青色に変更され、「図１．技を磨いて」の直前に改ページが挿入された内容に変更されている。
【００７９】
［第２の実施の形態］
第２の実施の形態は、印刷物に編集要求用紙を添付する方法に代えて、端末５の表示部５０の表示画面５０Ａに表示される成果物の画像に編集要求用紙に対応する画像を添付する点で異なる。
【００８０】
利用者８Ｂは、端末５を介して成果物を編集するための表示を文書編集処理装置１に要求する。文書編集処理装置１は、要求を受け付けると、以下に示す表示画像を表示するための情報を端末５に送信する。
【００８１】
図１５は、第２の実施の形態に係る編集要求用紙画像の内容の一例を示す概略図である。
【００８２】
ＰＤＦ情報３１０ａは、文書編集処理装置１から受信した情報に応じて端末５の表示画面５０Ａに表示される表示画像である。
【００８３】
利用者８Ｂは、端末５の操作部５１を操作することで、編集を要求する箇所に指定領域５０２ａ〜５０２ｃを指定し、指定領域５０２ａ〜５０２ｃのそれぞれに編集要求の内容を示す編集要求用紙画像５００ａ〜５００ｃを画像上で添付する。
【００８４】
編集要求用紙５００ａは、改行を要求するための用紙画像であり、図３に示す編集要求対照情報１１１の編集要求ＩＤ欄の情報に該当する内容を含むＱＲコード５０１ａを有する。編集要求用紙５００ａのＱＲコード５０１ａの編集要求は、ＰＤＦ情報３１０ａの文章において、指定領域５０２ａで示した文章の後ろで改行するよう要求するものである。なお、ＱＲコード５０１ａを用いずに、編集要求用紙５００ａの付随情報等に編集要求の内容を関連付けてもよい。
【００８５】
また、編集要求用紙５００ｂは、指定領域５０２ｂで示したＰＤＦ情報３１０ａの文字列の文字色を青色に指定するための用紙画像であり、ＱＲコード５０１ｂを有する。
【００８６】
また、編集要求用紙５００ｃは、指定領域５０２ｃで示したＰＤＦ情報３１０ａの文字列の後ろで改ページを指定するための用紙であり、ＱＲコード５０１ｃを有する。
【００８７】
利用者８Ｂが編集操作を終えると、端末５は、利用者８Ｂの操作に応じて指定領域５０２ａ〜５０２ｃ及び編集要求用紙画像５００ａ〜５００ｃに対応する内容の編集要求情報を受け付けるよう、文書編集処理装置１に指示する。次に、文書編集処理装置１の編集要求受付手段１００は端末５から指示を受信すると、指定領域５０２ａ〜５０２ｃ及び編集要求用紙画像５００ａ〜５００ｃに対応する編集要求情報を受け付ける（Ｓ１）。なお、ステップＳ２〜Ｓ４は第１の実施の形態と同様に実行される。
【００８８】
［他の実施の形態］
なお、本発明は、上記実施の形態に限定されず、本発明の要旨を逸脱しない範囲で種々な変形が可能である。
【００８９】
また、上記文書編集処理プログラム１１０をＣＤ−ＲＯＭ等の記憶媒体に格納して提供することも可能であり、インターネット等のネットワークに接続されているサーバ装置等から装置内の記憶部にダウンロードしてもよい。また、編集要求受付手段１００、スタイルシート情報読出手段１０１、編集命令適用手段１０２及びスタイルシート情報書込手段１０３の一部又は全部をＡＳＩＣ等のハードウェアによって実現してもよい。なお、上記実施の形態の動作説明で示した各ステップは、順序の変更、ステップの省略、追加が可能である。
【符号の説明】
【００９０】
１…文書編集処理装置、２…文書ＤＢ、３…成果物ＤＢ、４…成果物生成装置、５…端末、６…複合機、７…ネットワーク、８Ａ…管理者、８Ｂ…利用者、９…文書編集処理システム、１０…制御部、１１…記憶部、１２…通信部、２０…ＸＭＬ文書情報、２１…スタイルシート情報、３０…ＨＴＭＬ文書情報、３１…ＰＤＦ文書情報、５０…表示部、５０Ａ…表示画面、５１…操作部、１００…編集要求受付手段、１０１…スタイルシート情報読出手段、１０２…編集命令適用手段、１０３…スタイルシート情報書込手段、１１０…文書編集処理プログラム、１１１…編集要求対照情報、１１２…編集命令情報
【図１】
0005664067.tif 000002
【図２】
0005664067.tif 000003
【図３】
0005664067.tif 000004
【図４】
0005664067.tif 000005
【図６】
0005664067.tif 000006
【図７】
0005664067.tif 000007
【図８】
0005664067.tif 000008
【図１０】
0005664067.tif 000009
【図１１】
0005664067.tif 000010
【図１２】
0005664067.tif 000011
【図１３】
0005664067.tif 000012
【図１４】
0005664067.tif 000013
【図１５】
0005664067.tif 000014
【図５】
0005664067.tif 000015
【図９】
0005664067.tif 000016